(57)【要約】【課題】相手側の固定部材に対して、容易に箱体が取り付けられると共に、容易に箱体が取り外されることのできる箱体の固定構造を提供する。【解決手段】箱体５の側部１３ｍに略Ｌ字型の第一固定部１１が設けられ、第一固定部に対応して箱体が装着される固定部材８０に第一取付部８１が設けられ、箱体の第一固定部は、固定部材の第一取付部に掛かり合わせられ、第一固定部は、箱体の一側部１３ｐに設けられ、箱体の一側部の反対側とされる他側部１３ｑに可撓性アーム１２ａを備える第二固定部１２が設けられ、第二固定部に対応して固定部材に第二取付部８２が設けられ、箱体の第二固定部は、固定部材の第二取付部に係り合わせられ、その時に、箱体の外向きに形成された可撓性アームが撓み方向に沿って撓まされ、且つ、第二取付部に対する移動を制限する横方向Ｘ／縦方向の移動規制部１２ｍ，１２ｎが第二固定部に備えられた。【選択図】図３
2005176539.tif 000002
【特許請求の範囲】
【請求項１】
箱体の側部に、略Ｌ字型の第一固定部が設けられ、該第一固定部に対応して、該箱体が装着される固定部材に第一取付部が設けられ、該箱体の該第一固定部は、該固定部材の該第一取付部に掛かり合わせられ、該第一固定部は、該箱体の一側部に設けられ、該箱体の該一側部の反対側とされる他側部に、可撓性アームを備える第二固定部が設けられ、該第二固定部に対応して、該固定部材に第二取付部が設けられ、該箱体の該第二固定部は、該固定部材の該第二取付部に係り合わせられ、そのときに、該箱体の外向きに形成された該可撓性アームがアーム撓み方向に沿って撓まされ、且つ、該第二取付部に対する移動を制限する横方向および／または縦方向の移動規制部が、該第二固定部に備えられたことを特徴とする箱体の固定構造。
【請求項２】
前記第二固定部は、前記箱体に二箇所ほど設けられ、前記可撓性アームは、該箱体の両側部の外側に向けて設けられたことを特徴とする請求項１記載の箱体の固定構造。
【請求項３】
前記移動規制部は、前記可撓性アームの撓みを規制するリブとして形成され、該リブは、前記第二固定部の片側かつ前記箱体の内側に設けられたことを特徴とする請求項１又は２記載の箱体の固定構造。
【発明の詳細な説明】
【技術分野】
【０００１】
本発明は、例えば自動車の後側に設けられたトリム近傍のパネルおよびラゲージドアなどに装着され、箱体に対し繰り返して導出入される電線の余長を吸収可能な電線余長吸収装置などに用いられる箱体の固定構造に関するものである。
【背景技術】
【０００２】
図８は、従来の電気接続箱を示すものである（例えば特許文献１参照）。
【０００３】
この電気接続箱５０１は、アッパケース５０２およびロアケース５０３からなるケース本体５０４と、このケース本体５０４内に収容されると共にその上面に電装品５０５，５０６が装着される電装品装着用ブロック５０７と、両ケース５０２，５０３の側面に設けられたロック部５１１，５１２同士の係合により、両ケース５０２，５０３を離脱不能状態に保持するロック機構とを備えるものとされている。アッパケース５０２の上面かつアッパケース側ロック部５１１に近接した箇所に、指掛け部５１５が設けられている。このような構造の電気接続箱５０１が構成されることにより、ケース本体５０４が大型化されたときでも、アッパケース５０２を把持している手の指で同時にロックを解除させることが可能となる。このように、特許文献１に記載された電気接続箱５０１は、アッパケース５０２を片手で比較的容易に取り外すことができるものとされている。
【特許文献１】特開２００１−７７５５１号公報（第１，２頁、図１，２）
【０００４】
また、上記従来のもの以外に、例えば、電気接続箱をステーに取り付け易くさせるのと同時に抜け難いものとさせ、電気接続箱がステーに確実に取り付けられるものとさせた電気接続箱の取付構造というものもある（例えば特許文献２参照）。
【特許文献２】特開２０００−３１６２１７号公報（第２頁、図３）
【０００５】
また、例えば、車両パネルに対して電気接続箱の取付けおよび取外しが行われるときに、工具が使用されることなく容易に行われ、また、ガタの発生も防止可能とさせた電気接続箱の取付構造というものもある（例えば特許文献３参照）。
【特許文献３】特開２００１−７８３２９号公報（第１，２頁、図１〜６）
【発明の開示】
【発明が解決しようとする課題】
【０００６】
しかしながら、上記特許文献１に記載の従来の電気接続箱５０１（図８）においては、ケース本体５０４などの箱体が大型なものとされていても、ロアケース５０３からアッパケース５０２を片手で取り外すことが可能な電気接続箱５０１とされているが、電気接続箱５０１が取り付けられる自動車用パネルなどの相手側固定部材に対し、片手で電気接続箱５０１を容易に取り外すことが可能な構造のものとされていなかった。
【０００７】
また、上記特許文献２に記載された従来の電気接続箱の取付構造においては、電気接続箱をステーに取り付け易くさせるのと同時に抜け難いものとさせ、電気接続箱がステーに確実に取り付けられる構造のものとされているが、ステーなどの相手側固定部材から容易に電気接続箱が取り外される構造のものとされていなかった。
【０００８】
また、上記特許文献３に記載された従来の電気接続箱の取付構造においては、車両パネルに対する電気接続箱の取付作業および取外作業が行われるときに、容易に作業が行われるものとされているが、車両パネルに電気接続箱が取り付けられるためには、電気接続箱の大きさに対応する大きく開口された貫通孔が、車両パネルなどの相手側固定部材に設けられることが必要とされていた。従って、特許文献３に記載の電気接続箱の取付構造のものは、限られた構造のものにだけ適用可能なものとされていた。
【０００９】
本発明は、上記した点に鑑み、特別な構造のものに限られることなく、相手側の固定部材に対して、容易に箱体が取り付けられると共に、容易に箱体が取り外されることのできる箱体の固定構造を提供することを目的とする。
【課題を解決するための手段】
【００１０】
上記目的を達成するために、本発明の請求項１に係る箱体の固定構造は、箱体の側部に、略Ｌ字型の第一固定部が設けられ、該第一固定部に対応して、該箱体が装着される固定部材に第一取付部が設けられ、該箱体の該第一固定部は、該固定部材の該第一取付部に掛かり合わせられ、該第一固定部は、該箱体の一側部に設けられ、該箱体の該一側部の反対側とされる他側部に、可撓性アームを備える第二固定部が設けられ、該第二固定部に対応して、該固定部材に第二取付部が設けられ、該箱体の該第二固定部は、該固定部材の該第二取付部に係り合わせられ、そのときに、該箱体の外向きに形成された該可撓性アームがアーム撓み方向に沿って撓まされ、且つ、該第二取付部に対する移動を制限する横方向および／または縦方向の移動規制部が、該第二固定部に備えられたことを特徴とする。
【００１１】
上記構成により、固定部材に対する箱体の取付作業は、容易に行われることとなる。箱体が固定部材に装着されるときに、箱体の側部に設けられた略Ｌ字型の第一固定部が、固定部材の第一取付部に掛かり合わせられる。また、箱体の可撓性アームを備える第二固定部が、固定部材の第二取付部に係り合わせられる。そのときに、箱体の外向きに形成された可撓性アームが、アーム撓み方向に沿って撓まされ、復元弾性力により可撓性アームが略元の状態に復帰されることで、箱体の第二固定部と、固定部材の第二取付部とが容易に係り合わせられる。また、可撓性アームは、箱体の外向きに形成されているから、固定部材に対する箱体の取外作業は、容易に行われることとなる。箱体の外向きに形成された可撓性アームが、箱体の内向きに押圧されることで、固定部材の第二取付部に対する箱体の第二固定部の係止解除は、容易に行われることとなる。また、固定部材の第二取付部に対する移動を制限する横方向および／または縦方向の移動規制部が、箱体の第二固定部に備えられているから、例えば箱体の第二固定部に備えられた可撓性アームが大きく変形され、箱体の第二固定部の可撓性アームが破損されるということは、回避されることとなる。
【００１２】
請求項２に係る箱体の固定構造は、請求項１記載の箱体の固定構造において、前記第二固定部は、前記箱体に二箇所ほど設けられ、前記可撓性アームは、該箱体の両側部の外側に向けて設けられたことを特徴とする。
【００１３】
上記構成により、箱体の両側から箱体の第二固定部の可撓性アームが箱体の内側に向けて押圧されることで、箱体の第二固定部と、固定部材の第二取付部とのロック状態が解除される。従って、箱体の第二固定部と、固定部材の第二取付部とのロック解除は、容易に行われることとなる。
【００１４】
請求項３に係る箱体の固定構造は、請求項１又は２記載の箱体の固定構造において、前記移動規制部は、前記可撓性アームの撓みを規制するリブとして形成され、該リブは、前記第二固定部の片側かつ前記箱体の内側に設けられたことを特徴とする。
【００１５】
上記構成により、箱体の第二固定部に備えられた可撓性アームの撓みを規制するリブが、第二固定部の片側かつ箱体の内側に設けられているから、第二固定部の片側の反対側かつ箱体の外側から、手の指や工具などが入り易いものとなる。第二固定部の片側の反対側かつ箱体の外側に、可撓性アームの撓みを規制するリブが設けられることなく省略されているから、第二固定部の片側の反対側かつ箱体の外側から、手の指や工具などが入れ易くなる。これにより、箱体の第二固定部と、固定部材の第二取付部とのロック解除は、容易に行われることとなる。
【発明の効果】
【００１６】
以上の如く、請求項１記載の発明によれば、固定部材に対する箱体の取付作業を容易に行うことができる。箱体が固定部材に装着されるときに、箱体の側部に設けられた略Ｌ字型の第一固定部が、固定部材の第一取付部に掛かり合わせられる。また、箱体の可撓性アームを備える第二固定部が、固定部材の第二取付部に係り合わせられる。そのときに、箱体の外向きに形成された可撓性アームが、アーム撓み方向に沿って撓まされ、復元弾性力により可撓性アームが略元の状態に復帰されることで、箱体の第二固定部と、固定部材の第二取付部とが容易に係り合わせられる。また、可撓性アームは、箱体の外向きに形成されているから、固定部材に対する箱体の取外作業を容易に行うことができる。箱体の外向きに形成された可撓性アームを、箱体の内向きに押圧させることで、固定部材の第二取付部に対する箱体の第二固定部の係止解除を容易に行うことができる。また、固定部材の第二取付部に対する移動を制限する横方向および／または縦方向の移動規制部が、箱体の第二固定部に備えられているから、例えば箱体の第二固定部に備えられた可撓性アームが大きく変形され、箱体の第二固定部の可撓性アームが破損されるということを、回避させることができる。
【００１７】
請求項２記載の発明によれば、箱体の両側から箱体の第二固定部の可撓性アームを箱体の内側に向けて押圧することで、箱体の第二固定部と、固定部材の第二取付部とのロック状態を解除させることが可能となる。従って、箱体の第二固定部と、固定部材の第二取付部とのロック解除を容易に行うことができる。
【００１８】
請求項３記載の発明によれば、箱体の第二固定部に備えられた可撓性アームの撓みを規制するリブが、第二固定部の片側かつ箱体の内側に設けられているから、第二固定部の片側の反対側かつ箱体の外側から、手の指や工具などが入り易いものとなる。第二固定部の片側の反対側かつ箱体の外側に、可撓性アームの撓みを規制するリブが設けられることなく省略されているから、第二固定部の片側の反対側かつ箱体の外側から、手の指や工具などが入れ易くなる。これにより、箱体の第二固定部と、固定部材の第二取付部とのロック解除を容易に行うことができる。
【発明を実施するための最良の形態】
【００１９】
以下に本発明に係る箱体の固定構造の一実施形態を図面に基づいて詳細に説明する。
【００２０】
図１は、本発明に係る箱体の固定構造の一実施形態を示す斜視図、図２は、箱体を示す断面図、図３は、固定部材に箱体が取り付けられる状態を示す側面図、図４は、固定部材に箱体が取り付けられた状態を示す側面図、図５は、箱体を示す平面図、図６は、図５のＡ−Ａ断面図、図７（ａ）は、固定部材を示す平面図、図７（ｂ）は、固定部材を示す側面図である。
【００２１】
箱体の固定構造を構成するものとして、自動車（図示せず）の後側に設けられたトリム近傍のパネル８０（図３，図４，図７）およびラゲージドア（図示せず）などに装着され、箱体５（図１〜図５）に対し繰り返して導出入される電線５１の余長を吸収可能な電線余長吸収装置１を用いて説明する。この電線余長吸収装置１（図２）は、ワイヤハーネス５０を構成する電線５１の余長部分を吸収する装置本体２を少なくとも備えるものとされている。
【００２２】
図１および図２の如く、装置本体２は、ワイヤハーネス５０を構成する電線５１と、この電線５１を収容すると共に電線５１が導入もしくは導出される開口部５ｅを有する略矩形箱状の合成樹脂製のケース５と、電線５１をケース５内に引き込む方向に付勢する金属製の付勢部材２０（図２）と、この付勢部材２０の付勢力を受けつつ往復移動が可能な合成樹脂製のハーネス巻掛け部材３０と、付勢部材２０がケース５の長手方向Ｘすなわちケース４の横方向Ｘに沿って伸縮されるときに付勢部材２０を正しい姿勢に保ちながら案内させる合成樹脂製のガイドピン４０とを備えるものとして構成されている。付勢部材２０は、圧縮されることで復元弾性力が発生される金属製の圧縮コイルばね２０として形成されている。また、ケース５（図１，図３〜図５）に設けられた小さい略矩形箱状のホルダ部５ｈ内に、電線５１に接続されたコネクタ６が収容されている。
【００２３】
図１〜図４の如く、合成樹脂製のケース５は、上側の合成樹脂製のボックス本体１０と、このボックス本体１０の下側に装着される合成樹脂製のカバー１５とを備えるものとして構成されている。図１，図３〜図５の如く、ボックス本体１０に設けられた各係合部１４と、カバー１５に設けられた各係止部１９とが係り合わせられることで、略矩形箱状のケース５が構成される。ケース５は、ケース５の開口部５ｅからこれの収容部５ａ（図２）内に巻き取られた保護チューブ６０（図１，図５）内の電線５１を、外部のものから護るプロテクタとしての機能を兼ね備えたものとされている。
【００２４】
図１および図５の如く、合成樹脂製の箱体５の側部１３ｍに、略Ｌ字型の第一固定部１１が設けられている。図１〜図４において、略Ｌ字型の第一固定部１１は、略逆Ｌ字型のものとして示されている。一対の略Ｌ字型の第一固定部１１に対応して、合成樹脂製の箱体５が装着される金属製の固定部材８０（図７）に、一対の略矩形孔型の第一取付部８１が設けられている。図３および図４の如く、箱体５の第一固定部１１は、固定部材８０の第一取付部８１に掛かり合わせられる。また、図１〜図５の如く、第一固定部１１は、箱体５の一側部１３ｐに設けられている。箱体５の一側部１３ｐに設けられた第一固定部１１は、固定部材８０の一側部８３ｐに設けられた第一取付部８１に掛けられる。箱体５の一側部１３ｐの反対側とされる他側部１３ｑに、可撓性アーム１２ａを備える第二固定部１２が設けられている。箱体５の軽量化と、箱体５が形成されるための材料使用量の低減化と、それに伴った価格の低減化とを図るために、図６の如く、第二固定部１２を構成する基部１２ｎの内部は空洞化され、基部１２ｎの内部に中空部１２ｕが形成されている。
【００２５】
また、箱体５の他側部１３ｑに設けられた一対の第二固定部１２に対応して、図７の如く、固定部材８０の他側部８３ｑに、一対の略矩形孔型の第二取付部８２が設けられている。図３および図４の如く、箱体５の第二固定部１２は、固定部材８０の第二取付部８２に係り合わせられる。そのときに、箱体５の外向きに形成された可撓性アーム１２ａ（図１，図３〜図６）がアーム撓み方向Ｗ（図１，図５，図６）に沿って撓まされる。また、固定部材８０（図７）の第二取付部８２の横方向Ｘに対する移動を制限する横方向Ｘ（図１，図４，図５）の移動規制部１２ｎが、箱体５の第二固定部１２に備えられている。また、固定部材８０（図７）の第二取付部８２の縦方向Ｙに対する移動を制限する縦方向Ｙ（図１，図５）の移動規制部１２ｍが、箱体５の第二固定部１２に備えられている。箱体５の第二固定部１２は、横方向Ｘ（図１，図４，図５）の移動規制部１２ｎと、縦方向Ｙ（図１，図５）の移動規制部１２ｍとの両方を備えるものとして構成されているが、箱体（５）の第二固定部（１２）の設計仕様などにより、例えば、横方向Ｘ（図１，図４，図５）の移動規制部（１２ｎ）、又は、縦方向Ｙ（図１，図５）の移動規制部（１２ｍ）の何れか一方のものが、箱体（５）の第二固定部（１２）に設けられたものも使用可能とされる。また、この明細書における「縦横」の定義は、各部を説明するための便宜上のものとされ、箱体（５）の設計仕様などにより、「縦横」の定義は、変更可能なものとされる。
【００２６】
横方向Ｘ（図１，図４，図５）の移動規制部１２ｎおよび／または縦方向Ｙ（図１，図５）の移動規制部１２ｍを備える第二固定部１２が、箱体５に構成されていれば、固定部材８０に対する箱体５の取付作業は、容易に行われる。箱体５が固定部材８０に装着されるときに、図３の如く、まず、箱体５の側部１３ｍに設けられた略Ｌ字型の第一固定部１１の先端部１１ｅが、固定部材８０に設けられた略矩形孔型の第一取付部８１の縁端部８１ｅ（図３，図７）に掛かり合わせられる。次に、箱体５の第一固定部１１を中心として箱体５が固定部材８０に向けて回動されることで、図４の如く、箱体５の可撓性アーム１２ａを備える第二固定部１２が、固定部材８０に設けられた略矩形孔型の第二取付部８２に係り合わせられる。そのときに、箱体５の外向きに形成された一対の可撓性アーム１２ａが、アーム撓み方向Ｗ（図１，図５，図６）に沿って撓まされ、復元弾性力により可撓性アーム１２ａが略元の状態に復帰されることで、箱体５の第二固定部１２と、固定部材８０（図３，図４，図６，図７）の第二取付部８２とが容易に係り合わせられる。図６の如く、箱体５に設けられた第二固定部１２の可撓性アーム１２ａの着座部１２ｅと、固定部材８０に設けられた略矩形孔型の第二取付部８２の縁端部８２ｅとが係り合わせられる。
【００２７】
また、可撓性アーム１２ａは、箱体５の外向きに形成されているから、固定部材８０に対する箱体５の取外作業は、容易に行われる。箱体５の外向きに形成された可撓性アーム１２ａが、箱体５の内向き即ちアーム撓み方向Ｗに沿って押圧されることで、箱体５に設けられた可撓性アーム１２ａを備える第二固定部１２は、固定部材８０に設けられた略矩形孔状の第二取付部８２に容易に係り合わせられる。また、固定部材８０の略矩形孔状の第二取付部８２に係り合わせられた箱体５の第二固定部１２の可撓性アーム１２ａが、箱体５の内向きに沿って押圧されることで、固定部材８０の第二取付部８２に対する箱体５の第二固定部１２の係止解除は、容易に行われる。
【００２８】
また、固定部材８０の第二取付部８２に対する移動を制限する横方向Ｘおよび／または縦方向Ｙの移動規制部１２ｍ，１２ｎが、箱体５の第二固定部１２に備えられているから、例えば箱体５の第二固定部１２に備えられた可撓性アーム１２ａが大きく変形され、箱体５の第二固定部１２の可撓性アーム１２ａが破損されるということは、回避される。図６の如く、箱体５の第二固定部１２に設けられた縦方向Ｙの移動規制部１２ｍは、可撓性アーム１２ａの撓みを規制するリブ１２ｍとして形成されている。このリブ１２ｍは、可撓性アーム１２ａの撓みを規制し、且つ、固定部材８０の第二取付部８２に対して箱体５の第二固定部１２の位置決めを行う段差部１２ｐを備えるものとして形成されている。図６の如く、この段差部１２ｐは、固定部材８０に設けられた略矩形孔状の第二取付部８２の内周部８２ｄに当接される規制面１２ｑと、固定部材８０に設けられた第二取付部８２の縁端部８２ｅの下面８２ｇに当接される他の規制面１２ｒとを備えるものとして形成されている。また、箱体５に設けられた第二固定部１２の基部１２ｎは、固定部材８０に設けられた略矩形孔状の第二取付部８２の内周部８２ｄに当接される別の規制面１２ｓを備えるものとして形成されている。箱体５に設けられた第二固定部１２のリブ１２ｍの規制面１２ｑが、固定部材８０に設けられた略矩形孔状の第二取付部８２の内周部８２ｄに当接され、且つ、箱体５に設けられた第二固定部１２の基部１２ｎの別の規制面１２ｓが、固定部材８０に設けられた略矩形孔状の第二取付部８２の内周部８２ｄに当接されることで、固定部材８０に対する箱体５の縦方向Ｙの移動が規制される。これにより、例えば固定部材（８０）の第二取付部（８２）に対して箱体（５）の第二固定部（１２）が大きく縦方向（Ｙ）に移動され、そのときに、可撓性アーム（１２ａ）が大きく撓まされて、可撓性アーム（１２ａ）の根元部（１２ｂ）などに無理な力が加えられ、可撓性アーム（１２ａ）が損傷されるということは、回避される。
【００２９】
図１および図５の如く、第二固定部１２は、箱体５に二箇所ほど設けられている。また、一対の可撓性アーム１２ａは、箱体５の両側部１３ｍの外側に向けて設けられている。図６の如く、可撓性アーム１２ａは、基部１２ｎの上側に設けられた根元部１２ｂと、根元部１２ｂから斜め下側かつ箱体５の外側に向けて延設され固定部材８０の第二取付部８２の縁端部８２ｅと摺接される傾斜摺接部１２ｃと、傾斜摺接部１２ｃの先に設けられ固定部材８０の第二取付部８２の縁端部８２ｅに当接する着座部１２ｅと、撓まされた可撓性アーム１２ａが復元弾性力によって略元の姿勢に戻されたときに固定部材８０の上面８２ｆに当接する係止面１２ｆと、着座部１２ｅの先に延設され固定部材８０に設けられた略矩形孔状の第二取付部８２の内周部８２ｄに接する薄肉状の係止片１２ｄとを備えるものとして形成されている。可撓性アーム１２ａは、基部１２ｎの上側に設けられた根元部１２ｂから延設され、また、可撓性アーム１２ａの係止面１２ｆは、固定部材８０の上面８２ｆに当接するものとされているが、この明細書における「上下」の定義は、各部を説明するための便宜上のものとされる。
【００３０】
箱体５の両側から、箱体５の第二固定部１２の可撓性アーム１２ａが、手１００（図１，図４）の指１０１，１０２や、工具（図示せず）などによって箱体５の内側に向けて押圧されることで、箱体５の第二固定部１２と、固定部材８０の第二取付部８２とのロック状態が解除される。箱体５に設けられた一対の可撓性アーム１２ａ（図１，図５）は、片手１００（図１）の親指１０１および人差指１０２もしくは中指（図示せず）などの二本の指１０１，１０２により、箱体５の内側に向けて容易に押圧されて撓まされる。従って、箱体５の第二固定部１２と、固定部材８０の第二取付部８２とのロック解除は、容易に行われる（図３）。
【００３１】
移動規制部１２ｍ（図１，図３〜図６）は、可撓性アーム１２ａの撓みを規制する段差形状のリブ１２ｍとして形成されている。このリブ１２ｍは、第二固定部１２の片側かつ箱体５の内側に設けられている。第二固定部１２において、リブ１２ｍは、第一固定部１１側に備えられている。図５を用いて詳しく説明すると、箱体５が平面視されたときに、リブ１２ｍは、第二固定部１２の片側かつ箱体５の内側に納められる部分に位置するものとされている。
【００３２】
箱体５の第二固定部１２に備えられた可撓性アーム１２ａの撓みを規制するリブ１２ｍが、第二固定部１２の片側かつ箱体５の内側に設けられているから、第二固定部１２の片側の反対側かつ箱体５の外側から、手１００（図１，図４）の指１０１，１０２や、工具（図示せず）などが入り易いものとなる。第二固定部１２の片側の反対側かつ箱体５の外側に、可撓性アーム１２ａの撓みを規制するリブ１２ｍが設けられることなく省略されているから、第二固定部１２の片側の反対側かつ箱体５の外側から、手１００の指１０１，１０２や、工具（図示せず）などが入れ易くなる。これにより、箱体５の第二固定部１２と、固定部材８０の第二取付部８２とのロック解除は、容易に行われる。
【００３３】
装置本体２のケース５を構成するボックス本体１０およびカバー１５は、ポリプロピレン（ＰＰ）またはポリエチレン（ＰＥ）の何れか一方のものを少なくとも含有する合成樹脂材料が用いられて形成されている。ポリプロピレンおよびポリエチレンは、大量生産性に優れる射出成形が可能な熱可塑性の合成樹脂とされている。
【００３４】
ポリエチレンが用いられて形成された成形体は、成形性、電気絶縁性に優れたものされる。また、ポリプロピレンが用いられて形成された成形体も電気絶縁性に優れるものとされている。また、ポリプロピレンが用いられて形成された成形体は、ポリエチレンが用いられて形成された成形体よりも表面光沢があるものとされ、外観において優れたものとされる。また、ポリプロピレンが用いられて形成された成形体は、剛性が大きく、ストレスクラッキングが小さいものとされている。また、ポリプロピレンが用いられて形成された成形体は、繰り返しの曲げ応力に強いものとされている。従って、可撓性のアーム部などを有する係止係合部などが備えられ、撓み特性が要求される部分を有する成形体は、ポリプロピレンが用いられて形成されることが好ましい。
【００３５】
ケース５を構成するボックス本体１０が上側に位置し、ケース５を構成するカバー１５が下側に位置するものとされているが、この明細書における「上下」などの定義は、各部を説明するための便宜上のものとされ、必ずしもケース５などの箱体の固定構造の実使用時における方向と一致するものではない。ケース５内から電線５１が導出されたり、ケース５内へ電線５１が導入されたりして、ケース５に対し、電線５１が繰り返して導出入されるときに、電線５１の余長を常に吸収可能な電線余長吸収装置１のケース５などに、本発明の箱体の固定構造が適用された場合、電線余長吸収装置１を構成する前記装置本体２の取付方向は、あらゆる方向に取付可能とされる。
【００３６】
前記ケース５内から電線５１が導出されたり、ケース５内へ電線５１が導入されたりして、ケース５に対し、電線５１が繰り返して導出入されるため、電線５１は、これを護る保護チューブ６０によって被われている。電線５１が傷付けられることを防止する保護チューブ６０は、編組６０として形成されている。編組６０は、合成樹脂製の網状のものとして形成されている。詳しく説明すると、編組６０は、線径０．２３ｍｍのポリエチレンテレフタレート（ＰＥＴ）製の糸が、中空帯状に編み上げられて形成されている。ポリエチレンテレフタレートは、寸法安定性、強度、耐熱性、摺動性、電気特性に優れ、編組を形成する材料として適したものとされている。
【００３７】
電線５１として、薄型で可撓性に優れるフラットハーネスが用いられている。フラットハーネスとして、例えば、丸導体のリボン電線を備える回路体、フレキシブルフラット回路体、フレキシブルプリント回路体などの回路体が挙げられる。図１および図５の如く、フレキシブルフラット回路体は、「Flexible Flat Cable」 を意味し「ＦＦＣ」と略称される。フレキシブルフラット回路体５１は、複数の回路導体５２が絶縁シート５３に並設されることにより形成される。回路導体として、例えば、薄い条材、細い単線またはエナメル線などが用いられる。また、絶縁シート５３は、可撓性、寸法安定性、強度、耐熱性、摺動性、電気特性に優れるポリエチレンテレフタレート（ＰＥＴ）製のフィルムが用いられて形成されている。
【００３８】
フレキシブルプリント回路体は、「Flexible Printed Circuit」を意味し「ＦＰＣ」と略称される。フレキシブルプリント回路体（ＦＰＣ）は、銅箔などの金属箔より形成される複数の回路導体が、絶縁シートに並設されて印刷され、その上に保護層が設けられたものとされる。
【００３９】
本発明の箱体の固定構造を構成するものは、図１〜図７に示すものに限られることなく、各種のものに適用可能とされる。
【図面の簡単な説明】
【００４０】
【図１】本発明に係る箱体の固定構造の一実施形態を示す斜視図である。
【図２】箱体を示す断面図である。
【図３】固定部材に箱体が取り付けられる状態を示す側面図である。
【図４】固定部材に箱体が取り付けられた状態を示す側面図である。
【図５】箱体を示す平面図である。
【図６】図５のＡ−Ａ断面図である。
【図７】（ａ）は固定部材を示す平面図、（ｂ）は固定部材を示す側面図である。
【図８】従来の電気接続箱を示す分解斜視図である。
【符号の説明】
【００４１】
５      ケース（箱体）
１１    第一固定部
１２    第二固定部
１２ａ  可撓性アーム
１２ｍ  リブ（移動規制部）
１２ｎ  基部（移動規制部）
１３ｍ  側部
１３ｐ  一側部
１３ｑ  他側部
８０    パネル（固定部材）
８１    第一取付部
８２    第二取付部
Ｗ      アーム撓み方向
Ｘ      長手方向（横方向）
Ｙ      縦方向
【図１】
2005176539.tif 000003
【図２】
2005176539.tif 000004
【図３】
2005176539.tif 000005
【図４】
2005176539.tif 000006
【図５】
2005176539.tif 000007
【図６】
2005176539.tif 000008
【図７】
2005176539.tif 000009
【図８】
2005176539.tif 000010